【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】  原稿台上に載置された原稿を押圧する原稿圧板と、
原稿に光を照射する光源と、
前記光源から前記原稿に照射された光の反射光を読み取る反射光読取手段と、
少なくとも２段階の前記原稿圧板の開状態を検知する開状態検知手段とを有し、
前記開状態検知手段により前記原稿圧板が第一段階の開状態にあることが検知された場合に、前記光源及び前記反射光読取手段の電源をオンにし、かつ前記反射光読取手段での出力結果に基づいて原稿のサイズを判別せず、前記開状態検知手段により前記原稿圧板が前記第一段階の開状態より低い開度状態である第二段階の開状態にあることが検知された場合に、前記反射光読取手段での出力結果に基づいて原稿のサイズを判別する判別手段を有することを特徴とする原稿サイズ検知装置。
【請求項２】  前記原稿圧板が前記第一段階の開状態よりも高い開度状態にある場合に、前記光源及び前記反射光読取手段の電源をオフにすることを特徴とする請求項１に記載の原稿サイズ検知装置。
【請求項３】  原稿の副走査方向のサイズを検知する副走査方向検知手段を有し、
前記判別手段は、前記副走査方向検知手段の出力結果と、前記反射光読取手段の出力結果とに基づいて、前記原稿のサイズを判別することを特徴とする請求項１または２に記載の原稿サイズ検知装置。
【請求項４】  前記開状態検知手段は、前記第一段階の開状態より低い開度状態であり、かつ前記第二段階の開状態よりも高い開度状態にある第三段階の開状態を検知可能であり、
前記開状態検知手段により前記原稿圧板が第三段階の開状態にあることが検知された場合に、前記副走査方向検知手段の電源をオンにすることを特徴とする請求項３に記載の原稿サイズ検知装置。
【請求項５】  原稿台上に載置された原稿を押圧する原稿圧板と、
原稿に光を照射する光源と、
前記光源から前記原稿に照射された光の反射光を読み取る反射光読取手段と、
前記原稿圧板の第一の開角度と前記第一の開角度より低い第二の開角度とを検知する開状態検知手段とを有し、
前記開状態検知手段により前記原稿圧板が前記第一の開角度よりも高い開角度から前記第一の開角度以下になったことが検知されたことに応じて、前記光源及び前記反射光読取手段の電源をオフからオンにし、かつ前記反射光読取手段での出力結果に基づいて原稿のサイズを判別せず、前記開角度検知手段により前記原稿圧板が前記第二の開角度以下になったことが検知されたことに応じて、前記反射光読取手段での出力結果に基づいて原稿のサイズを判別する判別手段を有することを特徴とする原稿サイズ検知装置。
【請求項６】  原稿の副走査方向のサイズを検知する副走査方向検知手段をさらに有し、
前記開状態検知手段は、前記第一の開角度より低い開角度であり、かつ前記第二の開角度よりも高い開角度にある第三の開角度を検知可能であり、
前記判別手段は、前記開角度検知手段により前記原稿圧板が前記第三の開角度以下になったことが検知されたことに応じて、前記副走査方向検知手段の電源をオンにし、かつ前記反射光読取手段での出力結果に基づいて原稿のサイズを判別しないことを特徴とする請求項５に記載の原稿サイズ検知装置。
【請求項７】  原稿台上に載置された原稿を押圧する原稿圧板と、
原稿に光を照射する光源と、
前記光源から前記原稿に照射された光の反射光を読み取る反射光読取手段と、
少なくとも２段階の前記原稿圧板の開状態を検知する開状態検知手段とを有する原稿サイズ検知装置の制御方法において、
前記開状態検知手段により前記原稿圧板が第一段階の開状態にあることが検知された場合に、前記光源及び前記反射光読取手段の電源をオンにし、かつ前記反射光読取手段での出力結果に基づいて原稿のサイズを判別せず、前記開状態検知手段により前記原稿圧板が前記第一段階の開状態より低い開度状態である第二段階の開状態にあることが検知された場合に、前記反射光読取手段での出力結果に基づいて原稿のサイズを判別する判別ステップを有することを特徴とする原稿サイズ検知装置の制御方法。
【請求項８】  前記原稿圧板が前記第一段階の開状態よりも高い開度状態にある場合に、前記光源及び前記反射光読取手段の電源をオフにすることを特徴とする請求項７に記載の原稿サイズ検知装置の制御方法。
【請求項９】  前記原稿サイズ検知装置は、原稿の副走査方向のサイズを検知する副走査方向検知手段を有し、
前記判別ステップは、前記副走査方向検知手段の出力結果と、前記反射光読取手段の出力結果とに基づいて、前記原稿のサイズを判別することを特徴とする請求項７または８に記載の原稿サイズ検知装置の制御方法。
【請求項１０】  前記開状態検知手段は、前記第一段階の開状態より低い開度状態であり、かつ前記第二段階の開状態よりも高い開度状態にある第三段階の開状態を検知可能であり、
前記開状態検知手段により前記原稿圧板が第三段階の開状態にあることが検知された場合に、前記副走査方向検知手段の電源をオンにすることを特徴とする請求項９に記載の原稿サイズ検知装置の制御方法。
【請求項１１】  原稿台上に載置された原稿を押圧する原稿圧板と、
原稿に光を照射する光源と、
前記光源から前記原稿に照射された光の反射光を読み取る反射光読取手段と、前記原稿圧板の第一の開角度と、前記第一の開角度より低い第二の開角度とを検知する開状態検知手段とを有する原稿サイズ検知装置の制御方法において、
前記開状態検知手段により前記原稿圧板が前記第一の開角度よりも高い開角度から、前記第一の開角度以下になったことが検知されたことに応じて、前記光源及び前記反射光読取手段の電源をオフからオンにし、かつ前記反射光読取手段での出力結果に基づいて原稿のサイズを判別せず、前記開角度検知手段により前記原稿圧板が前記第二の開角度以下になったことが検知されたことに応じて、前記反射光読取手段での出力結果に基づいて原稿のサイズを判別する判別ステップを有することを特徴とする原稿サイズ検知装置の制御方法。
【請求項１２】  前記原稿サイズ検知装置は、原稿の副走査方向のサイズを検知する副走査方向検知手段をさらに有し、
前記開状態検知手段は、前記第一の開角度より低い開角度であり、かつ前記第二の開角度よりも高い開角度にある第三の開角度を検知可能であり、
前記判別ステップは、前記開角度検知手段により前記原稿圧板が前記第三の開角度以下になったことが検知されたことに応じて、前記副走査方向検知手段の電源をオンにし、かつ前記反射光読取手段での出力結果に基づいて原稿のサイズを判別しないことを特徴とする請求項１１に記載の原稿サイズ検知装置の制御方法。
【手続補正２】
【補正対象書類名】明細書
【補正対象項目名】０００１
【補正方法】変更
【補正の内容】
【０００１】
【発明の属する技術分野】
本発明は、例えば、デジタル複写機、スキャナ装置、ファクシミリ装置等において、画像読み取り対象である原稿のサイズを検知するための原稿サイズ検知装置及びその制御方法に関する。
【手続補正３】
【補正対象書類名】明細書
【補正対象項目名】０００９
【補正方法】変更
【補正の内容】
【０００９】
本発明は、上述したような従来技術の有する問題点を解消するためになされたもので、その目的は、原稿圧板の開角度が低く外乱光が入り難い状態で、原稿サイズを検知することを可能とし、且つ外乱光に強い原稿サイズの検知を実現すると共に、省エネルギー及び長寿命化のために原稿サイズ検知センサ等の電源を通常オフにした状態から原稿サイズ検知時にオン状態に復帰して原稿サイズを検知すること可能とした原稿サイズ検知装置及びその制御方法を提供することである。
【手続補正４】
【補正対象書類名】明細書
【補正対象項目名】００１０
【補正方法】変更
【補正の内容】
【００１０】
【課題を解決するための手段】
上記目的を達成するために、請求項１に記載の原稿サイズ検知装置は、原稿台上に載置された原稿を押圧する原稿圧板と、原稿に光を照射する光源と、前記光源から前記原稿に照射された光の反射光を読み取る反射光読取手段と、少なくとも２段階の前記原稿圧板の開状態を検知する開状態検知手段とを有し、前記開状態検知手段により前記原稿圧板が第一段階の開状態にあることが検知された場合に、前記光源及び前記反射光読取手段の電源をオンにし、かつ前記反射光読取手段での出力結果に基づいて原稿のサイズを判別せず、前記開状態検知手段により前記原稿圧板が前記第一段階の開状態より低い開度状態である第二段階の開状態にあることが検知された場合に、前記反射光読取手段での出力結果に基づいて原稿のサイズを判別する判別手段を有することを特徴とする。
請求項５に記載の原稿サイズ検知装置は、原稿台上に載置された原稿を押圧する原稿圧板と、原稿に光を照射する光源と、前記光源から前記原稿に照射された光の反射光を読み取る反射光読取手段と、前記原稿圧板の第一の開角度と、前記第一の開角度より低い第二の開角度とを検知する開状態検知手段とを有し、前記開状態検知手段により前記原稿圧板が前記第一の開角度よりも高い開角度から、前記第一の開角度以下になったことが検知されたことに応じて、前記光源及び前記反射光読取手段の電源をオフからオンにし、かつ前記反射光読取手段での出力結果に基づいて原稿のサイズを判別せず、前記開角度検知手段により前記原稿圧板が前記第二の開角度以下になったことが検知されたことに応じて、前記反射光読取手段での出力結果に基づいて原稿のサイズを判別する判別手段を有することを特徴とする。
請求項７に記載の原稿サイズ検知装置の制御方法は、原稿台上に載置された原稿を押圧する原稿圧板と、原稿に光を照射する光源と、前記光源から前記原稿に照射された光の反射光を読み取る反射光読取手段と、少なくとも２段階の前記原稿圧板の開状態を検知する開状態検知手段とを有する原稿サイズ検知装置の制御方法において、前記開状態検知手段により前記原稿圧板が第一段階の開状態にあることが検知された場合に、前記光源及び前記反射光読取手段の電源をオンにし、かつ前記反射光読取手段での出力結果に基づいて原稿のサイズを判別せず、前記開状態検知手段により前記原稿圧板が前記第一段階の開状態より低い開度状態である第二段階の開状態にあることが検知された場合に、前記反射光読取手段での出力結果に基づいて原稿のサイズを判別する判別ステップを有することを特徴とする。
請求項１１に記載の原稿サイズ検知装置の制御方法は、原稿台上に載置された原稿を押圧する原稿圧板と、原稿に光を照射する光源と、前記光源から前記原稿に照射された光の反射光を読み取る反射光読取手段と、前記原稿圧板の第一の開角度と、前記第一の開角度より低い第二の開角度とを検知する開状態検知手段とを有する原稿サイズ検知装置の制御方法において、前記開状態検知手段により前記原稿圧板が前記第一の開角度よりも高い開角度から、前記第一の開角度以下になったことが検知されたことに応じて、前記光源及び前記反射光読取手段の電源をオフからオンにし、かつ前記反射光読取手段での出力結果に基づいて原稿のサイズを判別せず、前記開角度検知手段により前記原稿圧板が前記第二の開角度以下になったことが検知されたことに応じて、前記反射光読取手段での出力結果に基づいて原稿のサイズを判別する判別ステップを有することを特徴とする。
【手続補正５】
【補正対象書類名】明細書
【補正対象項目名】００６８
【補正方法】削除
【補正の内容】
【手続補正６】
【補正対象書類名】明細書
【補正対象項目名】００６９
【補正方法】削除
【補正の内容】
【手続補正７】
【補正対象書類名】明細書
【補正対象項目名】００７０
【補正方法】削除
【補正の内容】
【手続補正８】
【補正対象書類名】明細書
【補正対象項目名】００７１
【補正方法】削除
【補正の内容】
【手続補正９】
【補正対象書類名】明細書
【補正対象項目名】００７２
【補正方法】削除
【補正の内容】
【手続補正１０】
【補正対象書類名】明細書
【補正対象項目名】００７３
【補正方法】削除
【補正の内容】
【手続補正１１】
【補正対象書類名】明細書
【補正対象項目名】００７４
【補正方法】削除
【補正の内容】
【手続補正１２】
【補正対象書類名】明細書
【補正対象項目名】００７５
【補正方法】削除
【補正の内容】
【手続補正１３】
【補正対象書類名】明細書
【補正対象項目名】００７６
【補正方法】削除
【補正の内容】
【手続補正１４】
【補正対象書類名】明細書
【補正対象項目名】００７７
【補正方法】削除
【補正の内容】
【手続補正１５】
【補正対象書類名】明細書
【補正対象項目名】００７８
【補正方法】変更
【補正の内容】
【００７８】
【発明の効果】
以上説明したように、本発明の原稿サイズ検知装置及びその制御方法によれば、外乱光が入り難い状態で、且つ原稿圧板の最適な開角度で原稿サイズ検知を行うことが可能となり、外乱光による誤検知を低減しながら、正確な原稿サイズの検知を行うことが可能となる。
【手続補正１６】
【補正対象書類名】明細書
【補正対象項目名】００７９
【補正方法】変更
【補正の内容】
【００７９】
また、本発明の原稿サイズ検知装置及びその制御方法によれば、外乱光による誤検知を低減しながら、正確な原稿サイズの検知を行うことが可能となり、且つ外乱光に強い原稿サイズの検知を実現すると共に、省エネルギー及び原稿サイズ検知装置の長寿命化のために原稿サイズ検知センサ等の電源を通常オフにした状態から原稿サイズ検知時に復帰して原稿サイズを検知することが可能となる。